(57)【特許請求の範囲】
【請求項１】
マルチキャストパケットを配信する送信装置と、前記配信されるマルチキャストパケットの転送要求パケットを送信し、前記配信されるマルチキャストパケットを受信する受信装置と、に接続されるネットワークシステムであって、
前記ネットワークシステムは、
前記マルチキャストパケット及び前記転送要求パケットを転送する中継装置と、
前記転送要求パケットを受信し、前記配信されるマルチキャストパケットを転送するネットワーク装置と、を備え、
前記中継装置は、
第１インタフェース及び第２インタフェースを含む少なくとも二つのインタフェースと、
前記第１インタフェースを介してマルチキャストパケットの転送要求パケットを受信し、前記第２インタフェースを介して前記転送要求パケットを送信する送受信部と、を備え、
前記送受信部は、ユニキャスト通信を必要とする前記受信装置に前記マルチキャストパケットを送信する場合に、前記転送要求パケットの送信元ユニキャストＭＡＣアドレスを前記マルチキャストパケットの宛先ＭＡＣアドレスに設定するように要求する変換要求を、前記転送要求パケットと共に送信し、
前記ネットワーク装置は、
前記マルチキャストパケットを受信する受信部と、
前記受信したマルチキャストパケットを転送するときに用いられるユニキャストＭＡＣアドレス及びマルチキャストＭＡＣアドレスを保持する保持部と、
前記保持されているユニキャストＭＡＣアドレス及びマルチキャストＭＡＣアドレスの数と同じ数に前記マルチキャストパケットを複製する複製部と、
前記複製された各マルチキャストパケットの宛先ＭＡＣアドレスに、前記保持されているユニキャストＭＡＣアドレス及びマルチキャストＭＡＣアドレスのいずれか一つを設定し、前記宛先ＭＡＣアドレスが設定されたマルチキャストパケットを転送する転送部と、を備え、
前記受信部は、前記中継装置から前記転送要求パケットを受信し、
前記保持部は、
前記受信した転送要求パケットの送信元ユニキャストＭＡＣアドレスを前記マルチキャストパケットの宛先ＭＡＣアドレスに設定するように要求された場合、前記受信した転送要求パケットの送信元ユニキャストＭＡＣアドレスを登録し、
前記受信した転送要求パケットの送信元ユニキャストＭＡＣアドレスを前記マルチキャストパケットの宛先ＭＡＣアドレスに設定するように要求されていない場合、前記マルチキャストパケットの宛先ＩＰアドレスに対応するマルチキャストＭＡＣアドレスを登録することを特徴とするネットワークシステム。
【請求項２】
前記送受信部は、前記転送要求パケットを転送するときに、前記マルチキャストパケットの転送要求パケットの宛先ＭＡＣアドレスに転送先のネットワーク装置のユニキャストＭＡＣアドレスを設定し、
前記保持部は、前記受信した転送要求パケットの宛先ＭＡＣアドレスが当該ネットワーク装置のユニキャストＭＡＣアドレスである場合、前記受信した転送要求パケットの送信元ユニキャストＭＡＣアドレスを登録することを特徴とする請求項１に記載のネットワークシステム。
【請求項３】
前記送受信部は、前記転送要求パケットを転送するときに、前記転送要求パケットの送信元ＩＰアドレスに当該中継装置のユニキャストＩＰアドレスを設定し、
前記保持部は、
前記中継装置のユニキャストＩＰアドレスをさらに保持し、
前記受信した転送要求パケットの送信元ＩＰアドレスが前記保持された中継装置のユニキャストＩＰアドレスである場合、前記受信した転送要求パケットの送信元ユニキャストＭＡＣアドレスを登録することを特徴とする請求項１に記載のネットワークシステム。
【請求項４】
前記保持部は、
前記受信装置のユニキャストＩＰアドレスをさらに保持し、
前記受信した転送要求パケットの送信元ＩＰアドレスが前記保持された受信装置のユニキャストＩＰアドレスである場合、前記受信した転送要求パケットの送信元ユニキャストＭＡＣアドレスを登録することを特徴とする請求項１に記載のネットワークシステム。
【請求項５】
前記保持部は、
前記受信装置のユニキャストＭＡＣアドレスをさらに保持し、
前記受信した転送要求パケットの送信元ＭＡＣアドレスが前記保持された受信装置のユニキャストＭＡＣアドレスである場合、前記受信した転送要求パケットの送信元ユニキャストＭＡＣアドレスを登録することを特徴とする請求項１に記載のネットワークシステム。
【請求項６】
前記ネットワーク装置は、マルチキャストパケットを含むＰＯＮフレームを受信するＰＯＮインタフェースをさらに備え、
前記転送部は、前記ＰＯＮインタフェースに含まれるマルチキャストパケットの宛先ＭＡＣアドレスに前記保持されているユニキャストＭＡＣアドレス及びマルチキャストＭＡＣアドレスを設定し、前記ＭＡＣアドレスが設定されたマルチキャストパケットを転送することを特徴とする請求項１に記載のネットワークシステム。
【請求項７】
マルチキャストパケットを転送するために用いられる経路情報を保持するネットワーク装置であって、
前記マルチキャストパケットを受信する受信部と、
前記受信されたマルチキャストパケットを転送するときに用いられるユニキャストＭＡＣアドレス及びマルチキャストＭＡＣアドレスを保持する保持部と、
前記保持されているユニキャストＭＡＣアドレス及びマルチキャストＭＡＣアドレスの数と同じ数だけ前記マルチキャストパケットを複製する複製部と、
前記複製された各マルチキャストパケットの宛先ＭＡＣアドレスに、前記保持されているユニキャストＭＡＣアドレス及びマルチキャストＭＡＣアドレスのいずれか一つを設定し、前記宛先ＭＡＣアドレスが設定されたマルチキャストパケットを転送する転送部と、を備え、
前記受信部は、前記ネットワーク装置に接続された中継装置から前記転送要求パケットを受信し、
前記保持部は、
前記受信した転送要求パケットの送信元ユニキャストＭＡＣアドレスを前記マルチキャストパケットの宛先ＭＡＣアドレスに設定するように要求された場合、前記受信した転送要求パケットの送信元ユニキャストＭＡＣアドレスを登録し、
前記受信した転送要求パケットの送信元ユニキャストＭＡＣアドレスを前記マルチキャストパケットの宛先ＭＡＣアドレスに設定するように要求されていない場合、前記マルチキャストパケットの宛先ＩＰアドレスに対応するマルチキャストＭＡＣアドレスを登録することを特徴とするネットワーク装置。
【請求項８】
前記保持部は、前記受信した転送要求パケットの宛先ＭＡＣアドレスが当該ネットワーク装置のユニキャストＭＡＣアドレスである場合、前記受信した転送要求パケットの送信元ユニキャストＭＡＣアドレスを登録することを特徴とする請求項７に記載のネットワーク装置。
【請求項９】
前記保持部は、
前記転送要求パケットを転送する中継装置のユニキャストＩＰアドレスをさらに保持し、
前記受信した転送要求パケットの送信元ＩＰアドレスが前記保持された中継装置のユニキャストＩＰアドレスである場合、前記受信した転送要求パケットの送信元ユニキャストＭＡＣアドレスを登録することを特徴とする請求項７に記載のネットワーク装置。
【請求項１０】
前記保持部は、
前記受信装置のユニキャストＩＰアドレスをさらに保持し、
前記受信した転送要求パケットの送信元ＩＰアドレスが前記保持された受信装置のユニキャストＩＰアドレスである場合、前記受信した転送要求パケットの送信元ユニキャストＭＡＣアドレスを登録することを特徴とする請求項７に記載のネットワーク装置。
【請求項１１】
前記保持部は、
前記受信装置のユニキャストＭＡＣアドレスをさらに保持し、
前記受信した転送要求パケットの送信元ＭＡＣアドレスが前記保持された受信装置のユニキャストＭＡＣアドレスである場合、前記受信した転送要求パケットの送信元ユニキャストＭＡＣアドレスを登録することを特徴とする請求項７に記載のネットワーク装置。
【発明の詳細な説明】
【技術分野】
【０００１】
本発明は、データ転送装置に関し、特に、ＩＰマルチキャストのパケットを送受信するデータ転送装置に関する。
【背景技術】
【０００２】
通信ネットワークのインフラ化が進み、ウェブ又はメール等従来のデータ転送に加えて、映像又は音声等のデータ転送が通信ネットワーク上で行なわれており、特に映像に関してマルチキャスト通信によるデータ転送も行われている。また、通信ネットワークのインフラ化に伴い、家庭内での通信ネットワークの利用も増加している。家庭内通信ネットワークでは、運用の容易さから有線通信だけではなく無線通信も広く用いられている。
【０００３】
無線通信で用いられる電波の状態は変動するため、物理層で有線通信ほどの信頼性を確保できない。そのため、非特許文献１に記載された技術によると、ＩＥＥＥ８０２．１１で規定される無線通信において、データ転送の確認及び再送を行なう仕組みが規定されている。しかし、無線通信におけるデータ転送の確認及び再送は、無線通信の方式がユニキャストの場合にのみ規定されており、無線通信の方式がマルチキャストの場合には規定されていない。
【０００４】
無線通信の方式は転送データのＭＡＣ層と対応付けられており、ＭＡＣ層の宛先アドレスがユニキャストアドレスの場合にはユニキャスト方式であり、ＭＡＣ層の宛先アドレスがマルチキャストアドレスの場合にはマルチキャスト方式となる。放送型の映像配信で用いられるマルチキャスト通信においては、ＭＡＣ層の宛先アドレスはマルチキャストアドレスであるため無線通信でのデータ転送の確認及び再送が行われず、信頼性を確保できない。
【０００５】
そこで、特許文献１には、マルチキャスト通信において、無線通信でのデータ転送の確認及び再送を用いて信頼性を確保するために、無線通信の送信装置においてマルチキャスト通信をユニキャスト通信に変換し、受信装置においてユニキャスト通信をマルチキャスト通信に再変換する技術が記載されている。
【０００６】
また、特許文献２には、無線通信装置である中継装置においてマルチキャスト通信のＭＡＣ層の宛先アドレスをマルチキャストアドレスからユニキャストアドレスに変換する技術が記載されている。マルチキャスト通信を受信するアプリケーションではＩＰ層の処理が行われるため、特許文献１に記載された技術のように、マルチキャスト通信をＩＰ層も含めてユニキャスト通信に変換する方法では、マルチキャスト通信に再変換する必要がある。しかし、特許文献２に記載された技術のように、マルチキャスト通信のＭＡＣ層をユニキャスト通信に変換し、ＩＰ層をマルチキャスト通信のままにする方法では再変換する必要がない。
【０００７】
また、特許文献３には、無線通信とは関係なくマルチキャスト通信のＭＡＣ層の宛先アドレスをマルチキャストアドレスからユニキャストアドレスに変換する技術が記載されている。
【特許文献１】特開２００６−３３３３０９号公報
【特許文献２】特開２００７−０４９３８２号公報
【特許文献３】特開２００４−２４２０６３号公報
【非特許文献１】Institute of Electrical and Electronics Engineers, Inc.、"ANSI/IEEE Std 802.11、 1999 Edition (R2003)"
【発明の開示】
【発明が解決しようとする課題】
【０００８】
無線通信においてデータ転送の確認及び再送を行なうために、マルチキャスト通信をユニキャスト通信に変換する場合、マルチキャスト通信の制御プロトコルを処理し、マルチキャスト通信の受信装置を管理し、マルチキャスト通信の受信装置を管理する情報に従って、受信装置が複数存在する場合にはマルチキャスト通信のパケットを複製し、マルチキャスト通信の宛先アドレスを変換する必要がある。これらのマルチキャスト通信の変換に必要となる処理は、無線通信装置の新たな負荷処理となる。これが本発明で解決しようとする第１の課題である。
【０００９】
また、無線通信装置とは異なる装置においてマルチキャスト通信を変換する場合には、無線通信のためにマルチキャスト通信の変換が必要な受信装置を判別できない。これが本発明で解決しようとする第２の課題である。
【課題を解決するための手段】
【００１０】
本発明の代表的な一例を示せば以下の通りである。すなわち、マルチキャストパケットを配信する送信装置と、前記配信されるマルチキャストパケットの転送要求パケットを送信し、前記配信されるマルチキャストパケットを受信する受信装置と、に接続されるネットワークシステムであって、前記ネットワークシステムは、前記マルチキャストパケット及び前記転送要求パケットを転送する中継装置と、前記転送要求パケットを受信し、前記配信されるマルチキャストパケットを転送するネットワーク装置と、を備え、前記中継装置は、第１インタフェース及び第２インタフェースを含む少なくとも二つのインタフェースと、前記第１インタフェースを介してマルチキャストパケットの転送要求パケットを受信し、前記第２インタフェースを介して前記転送要求パケットを送信する送受信部と、を備え、前記送受信部は、ユニキャスト通信を必要とする前記受信装置に前記マルチキャストパケットを送信する場合に、前記転送要求パケットの送信元ユニキャストＭＡＣアドレスを前記マルチキャストパケットの宛先ＭＡＣアドレスに設定するように要求する変換要求を、前記転送要求パケットと共に送信し、前記ネットワーク装置は、前記マルチキャストパケットを受信する受信部と、前記受信したマルチキャストパケットを転送するときに用いられるユニキャストＭＡＣアドレス及びマルチキャストＭＡＣアドレスを保持する保持部と、前記保持されているユニキャストＭＡＣアドレス及びマルチキャストＭＡＣアドレスの数と同じ数に前記マルチキャストパケットを複製する複製部と、前記複製された各マルチキャストパケットの宛先ＭＡＣアドレスに、前記保持されているユニキャストＭＡＣアドレス及びマルチキャストＭＡＣアドレスのいずれか一つを設定し、前記宛先ＭＡＣアドレスが設定されたマルチキャストパケットを転送する転送部と、を備え、前記受信部は、前記中継装置から前記転送要求パケットを受信し、前記保持部は、前記受信した転送要求パケットの送信元ユニキャストＭＡＣアドレスを前記マルチキャストパケットの宛先ＭＡＣアドレスに設定するように要求された場合、前記受信した転送要求パケットの送信元ユニキャストＭＡＣアドレスを登録し、前記受信した転送要求パケットの送信元ユニキャストＭＡＣアドレスを前記マルチキャストパケットの宛先ＭＡＣアドレスに設定するように要求されていない場合、前記マルチキャストパケットの宛先ＩＰアドレスに対応するマルチキャストＭＡＣアドレスを登録する。
【発明の効果】
【００１１】
本発明の一形態によると、ネットワーク装置は、マルチキャスト通信を変換する処理の必要があるか否かを受信端末ごとに判別し、ＭＡＣ層の宛先アドレスを、マルチキャスト通信の変換が必要な場合はマルチキャストアドレスからユニキャストアドレスに変換し、マルチキャスト通信の変換が必要ない場合はマルチキャストアドレスからユニキャストアドレスに変換しない。
【００１２】
したがって、無線通信装置でマルチキャスト通信を変換しないため、無線通信装置の負荷を軽減することが可能である。また、無線接続の受信端末にはマルチキャスト通信を変換し、無線通信でのデータ転送の確認及び再送によって信頼性を確保することが可能となる。さらに、有線接続の受信端末でマルチキャスト通信の同報性及び効率性を維持することが可能となる。
【発明を実施するための最良の形態】
【００１３】
以下、本発明の実施の形態について図面を参照しながら説明する。
【００１４】
＜実施形態１＞
まず、本発明の第１の実施の形態のネットワーク構成について説明する。
【００１５】
図１は、本発明の第１の実施の形態のネットワークの構成図である。
【００１６】
ネットワークは、送信装置１０１、ネットワーク装置１０２、無線中継装置１０３、無線端末１０４、有線中継装置１０５、及び有線端末１０６を備える。
【００１７】
送信装置１０１は、ネットワーク装置１０２にＩＰマルチキャストを送信する。
【００１８】
ネットワーク装置１０２は、ＭＡＣ変換要求有のＩＰマルチキャスト送信開始要求及びＩＰマルチキャスト送信終了要求を無線中継装置１０３から受信する。ＭＡＣ変換要求とは、ネットワーク装置１０２でＩＰマルチキャストの宛先ＭＡＣアドレスに、ＩＰマルチキャスト送信開始要求及びＩＰマルチキャスト送信終了要求の送信元ユニキャストＭＡＣアドレスを設定するように要求することである。ＭＡＣ変換要求有とは、ＭＡＣ変換要求が転送される要求に含まれることである。また、ネットワーク装置１０２は、ＭＡＣ変換要求無のＩＰマルチキャスト送信開始要求及びＩＰマルチキャスト送信終了要求を有線中継装置１０５から受信する。ＭＡＣ変換要求無とは、ＭＡＣ変換要求が転送される要求に含まれないことである。さらに、ネットワーク装置１０２は、送信装置１０１から受信したＩＰマルチキャストを、ＩＰマルチキャストの宛先ＭＡＣアドレスを送信先の無線端末１０４のＭＡＣアドレスに変換し、宛先ＭＡＣアドレスが変換されたＩＰマルチキャストを無線中継装置１０３に送信する。また、ネットワーク装置１０２は、送信装置１０１から受信したＩＰマルチキャストを、ＩＰマルチキャストの宛先ＭＡＣアドレスを変換せずに有線中継装置１０５に送信する。
【００１９】
無線中継装置１０３は、無線端末１０４から受信したＩＰマルチキャスト送信開始要求及びＩＰマルチキャスト送信終了要求をＭＡＣ変換要求有でネットワーク装置１０２に送信する。また、無線中継装置１０３は、ネットワーク装置１０２から受信したＩＰマルチキャストを無線端末１０４に送信する。
【００２０】
無線端末１０４は、ＩＰマルチキャスト送信開始要求及びＩＰマルチキャスト送信終了要求を無線中継装置１０３に送信する。また、無線端末１０４は、無線中継装置１０３からＩＰマルチキャストを受信する。
【００２１】
有線中継装置１０５は、有線端末１０６から受信したＩＰマルチキャスト送信開始要求及びＩＰマルチキャスト送信終了要求をＭＡＣ変換要求無でネットワーク装置１０２に送信する。また、有線中継装置１０５は、ネットワーク装置１０２から受信したＩＰマルチキャストを有線端末１０６に送信する。
【００２２】
有線端末１０６は、ＩＰマルチキャスト送信開始要求及びＩＰマルチキャスト送信終了要求を有線中継装置１０５に送信する。また、有線端末１０６は、ＩＰマルチキャストを有線中継装置１０５から受信する。
【００２３】
図２は、本発明の第１の実施の形態の各装置で送受信される、ＩＰマルチキャスト送信開始要求及びＩＰマルチキャスト送信終了要求の各階層の状態を示す。
【００２４】
物理層の状態は、有線及び無線を含む。ＭＡＣ層の状態は、マルチキャスト及びユニキャストを含む。また、ＩＰ層の状態は、マルチキャストを含む。
【００２５】
ＩＰマルチキャスト送信開始要求及びＩＰマルチキャスト送信終了要求において、ＭＡＣ層及びＩＰ層の宛先アドレスは、通常は、マルチキャストである。ＭＡＣ層の宛先アドレスをユニキャストに変換し、通常の要求と区別することで、ＩＰマルチキャスト送信開始要求及びＩＰマルチキャスト送信終了要求でのＭＡＣ変換要求の有無を示す。
【００２６】
無線中継装置１０３は、無線端末１０４からＩＰマルチキャスト送信開始要求及びＩＰマルチキャスト送信終了要求を受信すると、ＩＰマルチキャスト送信開始要求及びＩＰマルチキャスト送信終了要求のＭＡＣ層の宛先アドレスをネットワーク装置１０２のユニキャストＭＡＣアドレスに変換し、ネットワーク装置１０２に送信する。
【００２７】
また、有線中継装置１０５は、有線端末１０６からＩＰマルチキャスト送信開始要求及びＩＰマルチキャスト送信終了要求を受信すると、ＭＡＣ層の宛先アドレスをマルチキャストＭＡＣアドレスのまま変換せずに、ネットワーク装置１０２に送信する。
【００２８】
ネットワーク装置１０２は、ＩＰマルチキャスト送信開始要求及びＩＰマルチキャスト送信終了要求のＭＡＣ層の宛先アドレスがユニキャストアドレスかマルチキャストアドレスかを判定する。図３に示すように、ＩＰマルチキャスト送信開始要求及びＩＰマルチキャスト送信終了要求のＭＡＣ層の宛先アドレスが、ユニキャストアドレスの場合には、受信したＩＰマルチキャストのＭＡＣ層をユニキャストに変換し、マルチキャストアドレスの場合には、受信したＩＰマルチキャストのＭＡＣ層をマルチキャストのまま変換せずに、中継する。
【００２９】
図３は、本発明の第１の実施の形態の各装置で送受信されるＩＰマルチキャストの各階層の状態を示す。
【００３０】
物理層の状態は、有線及び無線を含む。ＭＡＣ層の状態は、マルチキャスト及びユニキャストを含む。また、ＩＰ層の状態は、マルチキャストを含む。
【００３１】
送信装置１０１は、物理層（有線）、ＭＡＣ層（マルチキャスト）及びＩＰ層（マルチキャスト）のＩＰマルチキャストをネットワーク装置１０２に送信する。
【００３２】
ネットワーク装置１０２は、送信装置１０１から受信したＩＰマルチキャストのＭＡＣ層を無線端末１０４のＭＡＣアドレスに変換して、物理層（有線）、ＭＡＣ層（ユニキャスト）及びＩＰ層（マルチキャスト）のＩＰマルチキャストを無線中継装置１０３に送信する。また、ネットワーク装置１０２は、送信装置１０１から受信したＩＰマルチキャストのＭＡＣ層を変換せずに、物理層（有線）、ＭＡＣ層（マルチキャスト）及びＩＰ層（マルチキャスト）のＩＰマルチキャストを有線中継装置１０５に送信する。
【００３３】
無線中継装置１０３は、ＭＡＣ層（ユニキャスト）のＩＰマルチキャストをネットワーク装置１０２から受信し、物理層及びＭＡＣ層を無線に変換して物理層（無線）、ＭＡＣ層（無線、ユニキャスト）及びＩＰ層（マルチキャスト）のＩＰマルチキャストを無線端末１０４に送信する。
【００３４】
無線端末１０４は、物理層（無線）、ＭＡＣ層（無線、ユニキャスト）及びＩＰ層（マルチキャスト）のＩＰマルチキャストを無線中継装置１０３から受信する。
【００３５】
有線中継装置１０５は、ＭＡＣ層（マルチキャスト）のＩＰマルチキャストをネットワーク装置１０２から受信し、物理層（有線）、ＭＡＣ層（マルチキャスト）及びＩＰ層（マルチキャスト）のＩＰマルチキャストを有線装置１０６に送信する。
【００３６】
有線端末１０６は、物理層（有線）、ＭＡＣ層（マルチキャスト）及びＩＰ層（マルチキャスト）のＩＰマルチキャストを有線中継装置１０５から受信する。
【００３７】
図４は、本発明の第１の実施の形態のネットワーク装置の構成図である。
【００３８】
ネットワーク装置１１０１は、制御部１１０２、及びインタフェース１１０３（１１０３Ａ、１１０３Ｂ、１１０３Ｃ）を備える。なお、ネットワーク装置１１０１は、図１のネットワーク装置１０２に対応する。
【００３９】
制御部１１０２は、制御用メモリ１１０４、及び制御用プロセッサ１１０５を含む。制御用メモリ１１０４は、マルチキャスト送信開始／終了要求処理プログラム１１０６、経路制御処理プログラム１１０７、ＭＡＣ変換情報テーブル１１０８、及び経路情報テーブル１１０９を格納する。
【００４０】
マルチキャスト送信開始／終了要求処理プログラム１１０６は、ＩＰマルチキャストの中継情報を作成する。具体的には、無線中継装置１０３又は有線中継装置１０５から受信したＩＰマルチキャスト送信開始要求又はＩＰマルチキャスト送信終了要求に基づいて、ＭＡＣ変換情報テーブル１１０８及び経路情報テーブル１１０９を作成又は削除する。
【００４１】
経路制御処理プログラム１１０７は、送信装置１０１から受信したＩＰマルチキャストを転送するために、ＭＡＣ変換情報テーブル１１０８及び経路制御テーブル１１０９を用いてＩＰマルチキャストの経路制御を行なう。
【００４２】
ＭＡＣ変換情報テーブル１１０８は、ＩＰマルチキャストを転送する宛先ＭＡＣアドレスの情報を保持する。
【００４３】
経路情報テーブル１１０９は、ＩＰマルチキャストを送受信するインタフェースの情報を保持する。
【００４４】
制御用プロセッサ１１０５は、制御用メモリ１１０４に格納されているプログラムを実行する。
【００４５】
インタフェース１１０３は、制御部１１０２に接続され、外部とデータを送受信する。なお、図４にはインタフェースが三つ図示されているが、三つ以外の複数備えてもよい。
【００４６】
図５は、本発明の第１の実施の形態の経路情報テーブルを示す。
【００４７】
経路情報テーブル１１０９は、ＩＰマルチキャストグループアドレス２１０１、入力インタフェース２１０２、及び出力インタフェース２１０３を含む。
【００４８】
ＩＰマルチキャストグループアドレス２１０１は、ＩＰマルチキャストの配信時に用いられるＩＰ層の宛先アドレスである。入力インタフェース２１０２は、ネットワーク装置１０２が送信装置１０１からＩＰマルチキャストを受信するインタフェースである。出力インタフェース２１０３は、ネットワーク装置１０２がＩＰマルチキャストを送信するインタフェースである。
【００４９】
図６は、本発明の第１の実施の形態のＭＡＣ変換情報テーブルを示す。
【００５０】
ＭＡＣ変換情報テーブル１１０８は、ＩＰマルチキャストグループアドレス２２０１、出力インタフェース２２０２、及び宛先ＭＡＣアドレス２２０３を含む。
【００５１】
ＩＰマルチキャストグループアドレス２２０１は、ＩＰマルチキャストの配信時に用いられるＩＰ層の宛先アドレスである。出力インタフェース２２０２は、ネットワーク装置１０２がＩＰマルチキャストを送信するインタフェースである。宛先ＭＡＣアドレス２２０３は、ネットワーク装置１０２が送信するＩＰマルチキャストの宛先ＭＡＣアドレスに設定するＭＡＣアドレスである。
【００５２】
例えば、カラム２２１１は、ＩＰマルチキャストの宛先ＭＡＣアドレスをユニキャストに変換する必要がない場合に設定される情報である。この場合、ＩＰマルチキャストグループアドレス２３９．２５５．１．１に対応するＭＡＣアドレス０１：００：５ｅ：７ｆ：０１：０１が宛先ＭＡＣアドレス２２０３に設定される。このＩＰマルチキャストグループアドレスに対応するＭＡＣアドレスは、宛先ＭＡＣアドレスを変換していないＩＰマルチキャストの宛先ＭＡＣアドレスに設定されているＭＡＣアドレスと一致する。また、カラム２２１２〜２２１５は、ＩＰマルチキャストの宛先ＭＡＣアドレスをユニキャストに変換する必要がある場合に設定される情報である。この場合、ＩＰマルチキャストの送信を要求した受信端末のＭＡＣアドレスが宛先ＭＡＣアドレス２２０３に設定される。
【００５３】
なお、本発明の第１の実施の形態のネットワーク装置１０２は、経路情報テーブル１１０９及びＭＡＣ変換情報テーブル１１０８を別々に格納しているが、図７に示すように、経路情報テーブル１１０９にＭＡＣ変換情報テーブル１１０８の情報を付加してもよい。
【００５４】
図７は、本発明の第１の実施の形態の経路情報テーブルにＭＡＣ変換情報テーブルを付加した経路情報テーブルの例を示す。
【００５５】
図７に示される経路情報テーブルは、ＩＰマルチキャストグループアドレス２３０１、入力インタフェース２３０２、出力インタフェース２３０３及び宛先ＭＡＣアドレス２３０４を含む。
【００５６】
図７に示す各構成の詳細は、図５及び図６と同じであるため説明を省略する。なお、ＩＰマルチキャストグループアドレス２３０１はＩＰマルチキャストグループアドレス２１０１と対応し、入力インタフェース２３０２は入力インタフェース２１０２と対応し、出力インタフェース２３０３は出力インタフェース２１０３と対応し、宛先ＭＡＣアドレス２３０４は宛先ＭＡＣアドレス２２０３と対応する。
【００５７】
このように、ネットワーク装置１０２は、ＭＡＣ変換情報テーブルが付加された経路情報テーブルのみを保持することによって本発明を実現することが可能である。
【００５８】
図８は、本発明の第１の実施の形態の無線中継装置の構成図である。
【００５９】
無線中継装置１２０１は、制御部１２０２、無線処理部１２０３及びインタフェース１２０４を備える。なお、無線中継装置１２０１は、図１の無線中継装置１０３に対応する。
【００６０】
制御部１２０２は、制御用メモリ１２０５及び制御用プロセッサ１２０６を備える。
【００６１】
制御用メモリ１２０５は、ＭＡＣ変換要求付加処理プログラム１２０７、マルチキャスト送信開始／終了要求処理プログラム１２０８、及び有線／無線ＭＡＣ処理プログラム１２０９を格納する。
【００６２】
ＭＡＣ変換要求付加処理プログラム１２０７は、無線端末１０４から受信したＩＰマルチキャスト送信開始要求又はＩＰマルチキャスト送信終了要求に、ＭＡＣ変換要求を付加する。
【００６３】
マルチキャスト送信開始／終了要求処理プログラム１２０８は、無線端末１０４から受信したＩＰマルチキャスト送信開始要求又はＩＰマルチキャスト送信終了要求を、ネットワーク装置１０２に転送する。
【００６４】
有線／無線ＭＡＣ処理プログラム１２０９は、送受信されるデータの物理層での状態を有線から無線、又は、無線から有線に変換する。
【００６５】
制御用プロセッサ１２０６は、制御用メモリ１２０５に格納されているプログラムを実行するプロセッサである。
【００６６】
無線処理部１２０３は、無線処理用プロセッサ１２１０及び無線部１２１１を備える。
【００６７】
無線処理用プロセッサ１２１０は、データ信号と無線信号の相互変換や無線通信の再送制御を行うプロセッサである。無線部１２１１は、無線信号の送受信を行う。
【００６８】
インタフェース１２０４は、制御部１２０２に接続され、外部とデータを送受信する。なお、図８にはインタフェースが一つ図示されているが、複数備えてもよい。
【００６９】
なお、本発明の第１の実施の形態のネットワーク構成は、ネットワーク装置１０２及び無線中継装置１０３を別々に備えているが、図９に示すように、ネットワーク装置１０２に無線中継装置１０３の機能を付加してもよい。
【００７０】
図９は、本発明の第１の実施の形態のネットワーク装置に無線中継装置の機能を付加したネットワーク装置の構成図である。
【００７１】
図９に示されるネットワーク装置１３０１は、第１の実施の形態のネットワーク装置１０２の構成に、無線中継装置１０３の構成を組み合わせた変形例である。なお、図１のネットワーク装置１０２及び無線中継装置１０３の代わりに、ネットワーク装置１３０１を用いることによって、ネットワークを構成することができる。
【００７２】
図９に示されるネットワーク装置１３０１は、制御部１３０２、無線処理部１３０３、インタフェース１３０４（１３０４Ａ、１３０４Ｂ）を備える。
【００７３】
制御部１３０２は、制御用メモリ１３０５及び制御用プロセッサ１３０６を備える。制御用メモリ１３０５は、マルチキャスト送信開始／終了要求処理プログラム１３０７、経路制御処理プログラム１３０８、有線／無線ＭＡＣ処理プログラム１３０９、ＭＡＣ変換情報テーブル１３１０、及び経路情報テーブル１３１１を格納する。
【００７４】
無線処理部１３０３は、無線処理用プロセッサ１３１２及び無線部１３１３を備える。
【００７５】
各構成の詳細は、図４及び図８と同じであるため説明を省略する。なお、マルチキャスト送信開始／終了要求処理プログラム１３０７はマルチキャスト送信開始／終了要求処理プログラム１１０６と対応し、経路制御処理プログラム１３０８は経路制御処理プログラム１１０７と対応し、有線／無線ＭＡＣ処理プログラム１３０９は有線／無線ＭＡＣ処理プログラム１２０９と対応し、制御用プロセッサ１３０６は制御用プロセッサ１１０５と対応する。また、ＭＡＣ変換情報テーブル１３１０はＭＡＣ変換情報テーブル１１０８と対応し、経路情報テーブル１３１１は経路情報テーブル１１０９と対応する。また、無線処理用プロセッサ１３１２は無線処理用プロセッサ１２１０と対応し、無線部１３１３は無線部１２１１と対応し、インタフェース１３０４はインタフェース１１０３と対応する。
【００７６】
また、図９に示されるネットワーク装置１３０１は、ＭＡＣ変換要求を付加する必要がないため、図８のＭＡＣ変換要求付加処理プログラム１２０７は不要となる。
【００７７】
このように、ネットワーク装置に無線中継装置の機能を付加させることによって、一台の装置でネットワーク装置及び無線中継装置の機能を実現することが可能である。
【００７８】
図１０は、本発明の第１の実施の形態のＭＡＣ層におけるＭＡＣアドレスの変換を必要とする無線端末からのＩＰマルチキャスト送信開始要求及びＩＰマルチキャスト送信終了要求の処理シーケンス図である。
【００７９】
まず、無線端末１０４は、ＩＰマルチキャスト送信開始要求を無線中継装置１０３に送信する。無線中継装置１０３は、ＩＰマルチキャスト送信開始要求を無線端末１０４から受信すると、ＭＡＣ変換要求有のＩＰマルチキャスト送信開始要求をネットワーク装置１０２に送信する。
【００８０】
次に、ネットワーク装置１０２は、ＭＡＣ変換要求有のＩＰマルチキャスト送信開始要求を無線中継装置１０３から受信すると、ＭＡＣ変換の情報を含むＩＰマルチキャスト中継情報を作成する。
【００８１】
次に、ネットワーク装置１０２は、作成されたＩＰマルチキャスト中継情報に基づいて、送信装置１０１から受信したＩＰマルチキャストの宛先ＭＡＣアドレスを、無線端末１０４のユニキャストＭＡＣアドレスに変換し、変換されたＩＰマルチキャストを無線中継装置１０３に送信する。無線中継装置１０３は、ネットワーク装置１０２から受信したＩＰマルチキャストを無線端末１０４に送信する。
【００８２】
次に、無線端末１０４は、ＩＰマルチキャスト送信終了要求を無線中継装置１０３に送信する。無線中継装置１０３は、ＩＰマルチキャスト送信終了要求を無線端末１０４から受信すると、ＭＡＣ変換要求有のＩＰマルチキャスト送信終了要求をネットワーク装置１０２に送信する。
【００８３】
次に、ネットワーク装置１０２は、ＭＡＣ変換要求有のＩＰマルチキャスト送信終了要求を無線中継装置１０３から受信すると、作成されたＭＡＣ変換情報を含むＩＰマルチキャスト中継情報を削除する。
【００８４】
図１１は、本発明の第１の実施の形態のＭＡＣ層の変換を必要としない有線端末からのＩＰマルチキャスト送信開始要求及びＩＰマルチキャスト送信終了要求の処理シーケンス図である。
【００８５】
まず、有線端末１０６は、ＩＰマルチキャスト送信開始要求を有線中継装置１０５に送信する。有線中継装置１０５は、ＩＰマルチキャスト送信開始要求を有線端末１０６から受信すると、ＭＡＣ変換要求無のＩＰマルチキャスト送信開始要求をネットワーク装置１０２に送信する。
【００８６】
次に、ネットワーク装置１０２は、有線中継装置１０５からＭＡＣ変換要求無のＩＰマルチキャスト送信開始要求を受信すると、ＭＡＣ変換の情報を含まないＩＰマルチキャスト中継情報を作成する。
【００８７】
次に、ネットワーク装置１０２は、作成されたＩＰマルチキャスト中継情報に基づいて、送信装置１０１から受信したＩＰマルチキャストを有線中継装置１０５に送信する。有線中継装置１０５は、ネットワーク装置１０２から受信したＩＰマルチキャストを有線端末１０６に送信する。
【００８８】
次に、有線端末１０６は、ＩＰマルチキャスト送信終了要求を有線中継装置１０５に送信する。有線中継装置１０５は、ＩＰマルチキャスト送信終了要求を有線端末１０６から受信すると、ＭＡＣ変換要求無のＩＰマルチキャスト送信終了要求をネットワーク装置１０２に送信する。
【００８９】
次に、ネットワーク装置１０２は、ＭＡＣ変換要求無のＩＰマルチキャスト送信終了要求を有線中継装置１０５から受信すると、ＩＰマルチキャスト終了確認を有線中継装置１０５に送信する。有線中継装置１０５は、ネットワーク装置１０２から受信したＩＰマルチキャスト終了確認を有線端末１０６に送信する。
【００９０】
次に、ネットワーク装置１０２は、有線端末１０６から一定時間の間ＩＰマルチキャスト送信終了確認に対する応答がない場合、作成されたＭＡＣ変換要求無のＩＰマルチキャスト中継情報を削除する。
【００９１】
図１２は、本発明の第１の実施の形態のネットワーク装置の経路制御処理のフローチャートを示す。
【００９２】
まず、ネットワーク装置１０２は、ＩＰマルチキャストを送信装置１０１から受信する（３１０２）。
【００９３】
次に、ネットワーク装置１０２は、経路情報テーブル１１０９を参照して、受信したＩＰマルチキャストの中継情報が存在するか否かを判定する（３１０３）。ステップ３１０３の判定において、ＩＰマルチキャストのＩＰマルチキャストグループアドレス２１０１に対応する出力インタフェース２１０３が経路情報テーブル１１０９に存在する場合、ステップ３１０４に進む。一方、経路情報テーブル１１０９に存在しない場合、受信したＩＰマルチキャストを廃棄し、処理を終了する。
【００９４】
ステップ３１０４で、ネットワーク装置１０２は、経路情報テーブル１１０９を参照して、ＩＰマルチキャストのＩＰマルチキャストグループアドレス２１０１に対応する出力インタフェース２１０３が示すインタフェースを取得する（３１０４）。
【００９５】
次に、ネットワーク装置１０２は、ＭＡＣ変換情報テーブル１１０８を参照して、ＩＰマルチキャストのＩＰマルチキャストグループアドレス２２０１に対応する宛先ＭＡＣアドレス２２０３が示すＭＡＣアドレスを取得する（３１０５）。
【００９６】
次に、ネットワーク装置１０２は、ＩＰマルチキャストを中継に必要な数だけ複製する（３１０６）。具体的には、ネットワーク装置１０２は、ＩＰマルチキャストグループアドレス２２０１に対応する宛先ＭＡＣアドレス２２０３が存在する数と同じ数だけＩＰマルチキャストを複製する。
【００９７】
次に、ネットワーク装置１０２は、ＩＰマルチキャストの宛先ＭＡＣアドレスを変換する（３１０７）。具体的には、ネットワーク装置１０２は、ステップ３１０６で複製した各ＩＰマルチキャストの宛先ＭＡＣアドレスに、ステップ３１０５で取得した宛先ＭＡＣアドレスを設定する。なお、ＩＰマルチキャストの宛先ＭＡＣアドレスとステップ３１０５で取得した宛先ＭＡＣアドレスが一致する場合には、ＩＰマルチキャストの宛先ＭＡＣアドレスを変換しなくてもよい。
【００９８】
次に、ネットワーク装置１０２は、ＩＰマルチキャストを出力インタフェースから送信する（３１０８）。具体的には、ネットワーク装置１０２は、ステップ３１０４で取得した出力インタフェースから、ＩＰマルチキャストを送信する。そして、ネットワーク装置１０２は、処理を終了する（３１０９）。
【００９９】
図１３は、本発明の第１の実施の形態のネットワーク装置のマルチキャスト送信開始／終了要求処理のフローチャートを示す。
【０１００】
まず、ネットワーク装置１０２は、中継装置（無線中継装置１０３又は有線中継装置１０５）からデータを受信する（３２０２）。
【０１０１】
次に、ネットワーク装置１０２は、受信したデータがＩＰマルチキャスト送信開始要求であるか否かを判定する（３２０３）。ステップ３２０３の判定において、受信したデータがＩＰマルチキャスト送信開始要求である場合、ステップ３２０４に進む。一方、受信したデータがＩＰマルチキャスト送信開始要求でない場合、ステップ３２０７に進む。
【０１０２】
ステップ３２０４で、ネットワーク装置１０２は、受信したデータにＭＡＣ変換要求が含まれているか否かを判定する（３２０４）。ステップ３２０４の判定において、受信したデータにＭＡＣ変換要求が含まれている場合、ステップ３２０５に進む。一方、受信したデータにＭＡＣ変換要求が含まれていない場合、ステップ３２０６に進む。
【０１０３】
ステップ３２０５で、ネットワーク装置１０２は、変換するユニキャストＭＡＣ情報に基づいて、ＩＰマルチキャスト中継情報を作成する（３２０５）。具体的には、ネットワーク装置１０２は、受信したＩＰマルチキャスト送信開始要求に基づいて、図５に示す経路情報テーブル１１０９を作成し、受信したＩＰマルチキャスト送信開始要求の送信元ユニキャストＭＡＣアドレスの情報に基づいて、図６に示すＭＡＣ変換情報テーブル１１０８を作成する。そして、処理を終了する。
【０１０４】
ステップ３２０６で、ネットワーク装置１０２は、ＩＰマルチキャストに対応するマルチキャストＭＡＣ情報に基づいて、ＩＰマルチキャスト中継情報を作成する（３２０６）。具体的には、ネットワーク装置１０２は、受信したＩＰマルチキャスト送信開始要求に基づいて、図５に示す経路情報テーブル１１０９を作成し、ＩＰマルチキャストに対応するマルチキャストＭＡＣアドレスの情報に基づいて、図６に示されるＭＡＣ変換情報テーブル１１０８を作成する。そして、処理を終了する。
【０１０５】
ステップ３２０７で、ネットワーク装置１０２は、受信したデータがＩＰマルチキャスト送信終了要求であるか否かを判定する（３２０７）。ステップ３２０７の判定において、受信したデータがＩＰマルチキャスト送信終了要求である場合、ステップ３２０８に進む。一方、受信したデータがＩＰマルチキャスト送信終了要求でない場合、ステップ３２１１で通常のデータ処理を実行し、処理を終了する。
【０１０６】
ステップ３２０８で、ネットワーク装置１０２は、受信したデータにＭＡＣ変換要求が付加されているか否かを判定する（３２０８）。ステップ３２０８の判定において、受信したデータにＭＡＣ変換要求が付加されている場合、ステップ３２０９に進む。一方、受信したデータにＭＡＣ変換要求が付加されていない場合、ステップ３２１０に進む。
【０１０７】
ステップ３２０９で、ネットワーク装置１０２は、変換するユニキャストＭＡＣのＩＰマルチキャスト中継情報を削除する（３２０９）。そして、処理を終了する。
【０１０８】
ステップ３２１０で、ネットワーク装置１０２は、送信終了要求を受信したＩＰマルチキャストのＭＡＣ変換を必要としない受信端末の有無を確認する（３２１０）。そして、処理を終了する。
【０１０９】
図１４は、本発明の第１の実施の形態の無線中継装置のＭＡＣ変換要求付加処理のフローチャートを示す。
【０１１０】
まず、無線中継装置１０３は、無線端末１０４からデータを受信する（３３０２）。
【０１１１】
次に、無線中継装置１０３は、受信したデータがＩＰマルチキャスト送信開始要求であるか否かを判定する（３３０３）。ステップ３３０３の判定において、受信したデータがＩＰマルチキャスト送信開始要求でない場合、ステップ３３０４に進む。一方、受信したデータがＩＰマルチキャスト送信開始要求である場合、ステップ３３０５に進む。
【０１１２】
ステップ３３０４で、無線中継装置１０３は、受信したデータがＩＰマルチキャスト送信終了要求であるか否かを判定する（３３０４）。ステップ３３０４の判定において、受信したデータがＩＰマルチキャスト送信終了要求である場合、ステップ３３０５に進む。一方、受信したデータがＩＰマルチキャスト送信開始要求でない場合、ステップ３３０６に進み、通常のデータ処理を実行して処理を終了する。
【０１１３】
ステップ３３０５で、無線中継装置１０３は、ＭＡＣ変換要求を付加してネットワーク装置１０２に転送する（３３０５）。具体的には、無線中継装置１０３は、ＩＰマルチキャスト送信開始要求又はＩＰマルチキャスト送信終了要求にＭＡＣ変換要求を付加し、ＭＡＣ変換要求有のＩＰマルチキャスト送信開始要求又はＩＰマルチキャスト送信終了要求をネットワーク装置１０２に送信する。そして、無線中継装置１０３は、処理を終了する。
【０１１４】
＜実施形態２＞
本発明の第２の実施の形態は、ＩＰマルチキャストの送信を要求する有線端末を個別に制御する必要がある場合の例である。有線端末を個別に制御する必要がある場合とは、例えば、個別の有線端末にＩＰマルチキャストを送信する品質を制御する必要がある場合である。
【０１１５】
図１５は、本発明の第２の実施の形態のネットワークの構成図である。
【０１１６】
ネットワークは、送信装置１０１、ネットワーク装置１０２、中継装置１０７、受信端末（個別制御有）１０８、中継装置１０９、及び受信端末（個別制御無）１１０を備える。
【０１１７】
第１の実施の形態と異なるのは、中継装置に接続されている受信端末１０８及び１１０は共に有線接続であり、中継装置は接続方法からは個別制御の必要性の有無を判断できない点である。
【０１１８】
送信装置１０１は、ネットワーク装置１０２にＩＰマルチキャストを送信する。
【０１１９】
ネットワーク装置１０２は、中継装置１０７からＭＡＣ変換要求有のＩＰマルチキャスト送信開始要求及びＩＰマルチキャスト送信終了要求を受信する。また、ネットワーク装置１０２は、中継装置１０９からＭＡＣ変換要求無のＩＰマルチキャスト送信開始要求及びＩＰマルチキャスト送信終了要求を受信する。さらに、ネットワーク装置１０２は、送信装置１０１から受信したＩＰマルチキャストをＩＰマルチキャストの宛先ＭＡＣアドレスを送信先の受信端末（個別制御有）１０８のＭＡＣアドレスに変換し、宛先ＭＡＣアドレスが変換されたＩＰマルチキャストを中継装置１０７に送信する。また、ネットワーク装置１０２は、送信装置１０１から受信したＩＰマルチキャストを、ＩＰマルチキャストの宛先ＭＡＣアドレスを変換せずに中継装置１０９に送信する。
【０１２０】
中継装置１０７は、受信端末（個別制御有）１０８から受信したＭＡＣ変換要求有のＩＰマルチキャスト送信開始要求及びＩＰマルチキャスト送信終了要求をネットワーク装置１０２に送信する。また、中継装置１０７は、ネットワーク装置１０２から受信したＩＰマルチキャストを受信端末（個別制御有）１０８に送信する。
【０１２１】
受信端末（個別制御有）１０８は、ＩＰマルチキャストの個別制御を必要とし、ＭＡＣ変換要求有のＩＰマルチキャスト送信開始要求及びＩＰマルチキャスト送信終了要求を中継装置１０７に送信する。また、受信端末（個別制御有）１０８は、ＩＰマルチキャストを中継装置１０７から受信する。
【０１２２】
中継装置１０９は、受信端末（個別制御無）１１０から受信したＭＡＣ変換要求無のＩＰマルチキャスト送信開始要求及びＩＰマルチキャスト送信終了要求をネットワーク装置１０２に送信する。また、中継装置１０９は、ネットワーク装置１０２から受信したＩＰマルチキャストを受信端末（個別制御無）１１０に送信する。
【０１２３】
受信端末（個別制御無）１１０は、ＩＰマルチキャストの個別制御を必要とせず、ＭＡＣ変換要求無のＩＰマルチキャスト送信開始要求及びＩＰマルチキャスト送信終了要求を中継装置１０９に送信する。また、受信端末（個別制御無）１１０は、ＩＰマルチキャストを中継装置１０９から受信する。
【０１２４】
図１６は、本発明の第２の実施の形態の各装置で送受信される、ＩＰマルチキャスト送信開始要求及びＩＰマルチキャスト送信終了要求の各階層の状態を示す。
【０１２５】
物理層の状態は、有線を含む。ＭＡＣ層の状態は、マルチキャスト及びユニキャストを含む。また、ＩＰ層の状態は、マルチキャストを含む。
【０１２６】
受信端末（個別制御有）１０８は、ＩＰマルチキャスト送信開始要求及びＩＰマルチキャスト送信終了要求のＭＡＣ層の宛先アドレスにネットワーク装置１０２のユニキャストＭＡＣアドレスを設定してネットワーク装置１０２に送信する。
【０１２７】
受信端末（個別制御無）１１０は、ＩＰマルチキャスト送信開始要求及びＩＰマルチキャスト送信終了要求のＭＡＣ層の宛先アドレスにマルチキャストＭＡＣアドレスを設定してネットワーク装置１０２に送信する。
【０１２８】
ネットワーク装置１０２は、ＩＰマルチキャスト送信開始要求及びＩＰマルチキャスト送信終了要求のＭＡＣ層の宛先アドレスがユニキャストアドレスかマルチキャストアドレスかを判定する。ＩＰマルチキャスト送信開始要求及びＩＰマルチキャスト送信終了要求のＭＡＣ層の宛先アドレスが、ユニキャストアドレスの場合には、受信したＩＰマルチキャストのＭＡＣ層をユニキャストに変換し、マルチキャストアドレスの場合には、受信したＩＰマルチキャストのＭＡＣ層をマルチキャストのまま変換せずに、中継する。
【０１２９】
図１７は、本発明の第２の実施の形態における図１５の各装置で送受信されるＩＰマルチキャストの各階層での状態を示す。
【０１３０】
送信装置１０１は、物理層（有線）、ＭＡＣ層（マルチキャスト）及びＩＰ層（マルチキャスト）のＩＰマルチキャストをネットワーク装置１０２に送信する。
【０１３１】
ネットワーク装置１０２は、送信装置１０１から受信したＩＰマルチキャストのＭＡＣ層を受信端末（個別制御有）１０８のＭＡＣアドレスに変換して、物理層（有線）、ＭＡＣ層（ユニキャスト）及びＩＰ層（マルチキャスト）のＩＰマルチキャストを中継装置１０７に送信する。また、ネットワーク装置１０２は、送信装置１０１から受信したＩＰマルチキャストのＭＡＣ層を変換せずに、物理層（有線）、ＭＡＣ層（マルチキャスト）及びＩＰ層（マルチキャスト）のＩＰマルチキャストを中継装置１０９に送信する。
【０１３２】
中継装置１０７は、ＭＡＣ層（ユニキャスト）のＩＰマルチキャストをネットワーク装置１０２から受信し、物理層（有線）、ＭＡＣ層（ユニキャスト）、及びＩＰ層（マルチキャスト）のＩＰマルチキャストを受信端末（個別制御有）１０８に送信する。
【０１３３】
受信端末（個別制御有）１０８は、物理層（有線）、ＭＡＣ層（ユニキャスト）及びＩＰ層（マルチキャスト）のＩＰマルチキャストを中継装置１０７から受信する。
【０１３４】
中継装置１０９は、ＭＡＣ層（マルチキャスト）のＩＰマルチキャストをネットワーク装置１０２から受信し、物理層（有線）、ＭＡＣ層（マルチキャスト）及びＩＰ層（マルチキャスト）のＩＰマルチキャストを受信端末（個別制御無）１１０に送信する。
【０１３５】
受信端末（個別制御無）１１０は、物理層（有線）、ＭＡＣ層（マルチキャスト）及びＩＰ層（マルチキャスト）のＩＰマルチキャストを中継装置１０９から受信する。
【０１３６】
図１８は、本発明の第２の実施の形態のＩＰマルチキャストの個別制御を必要とする受信端末からのＩＰマルチキャスト送信開始要求及びＩＰマルチキャスト送信終了要求の処理シーケンス図である。
【０１３７】
まず、受信端末（個別制御有）１０８は、ＭＡＣ変換要求有のＩＰマルチキャスト送信開始要求を中継装置１０７に送信する。中継装置１０７は、ＭＡＣ変換要求有のＩＰマルチキャスト送信開始要求を受信端末（個別制御有）１０８から受信すると、ＭＡＣ変換要求有のＩＰマルチキャスト送信開始要求をネットワーク装置１０２に送信する。
【０１３８】
次に、ネットワーク装置１０２は、ＭＡＣ変換要求有のＩＰマルチキャスト送信開始要求を中継装置１０７から受信すると、ＭＡＣ変換の情報を含むＩＰマルチキャスト中継情報を作成する。
【０１３９】
次に、ネットワーク装置１０２は、作成されたＩＰマルチキャスト中継情報に基づいて、送信装置１０１から受信したＩＰマルチキャストの宛先ＭＡＣアドレスを、受信端末（個別制御有）１０８のユニキャストＭＡＣアドレスに変換し、変換されたＩＰマルチキャストを中継装置１０７に送信する。中継装置１０７は、ネットワーク装置１０２から受信したＩＰマルチキャストを受信端末（個別制御有）１０８に送信する。
【０１４０】
次に、受信端末（個別制御有）１０８は、ＭＡＣ変換要求有のＩＰマルチキャスト送信終了要求を中継装置１０７に送信する。中継装置１０７は、ＭＡＣ変換要求有のＩＰマルチキャスト送信終了要求を受信端末（個別制御有）１０８から受信すると、ＭＡＣ変換要求有のＩＰマルチキャスト送信終了要求をネットワーク装置１０２に送信する。
【０１４１】
次に、ネットワーク装置１０２は、ＭＡＣ変換要求有のＩＰマルチキャスト送信終了要求を中継装置１０７から受信すると、作成されたＭＡＣ変換情報を含むＩＰマルチキャスト中継情報を削除する。
【０１４２】
図１９は、本発明の第２の実施の形態のＩＰマルチキャストの個別制御を必要としない受信端末からのＩＰマルチキャスト送信開始要求及びＩＰマルチキャスト送信終了要求の処理シーケンス図である。
【０１４３】
まず、受信端末（個別制御無）１１０は、ＭＡＣ変換要求無のＩＰマルチキャスト送信開始要求を中継装置１０９に送信する。中継装置１０９は、ＭＡＣ変換要求無のＩＰマルチキャスト送信開始要求を受信端末（個別制御無）から受信すると、ＭＡＣ変換要求無のＩＰマルチキャスト送信開始要求をネットワーク装置１０２に送信する。
【０１４４】
次に、ネットワーク装置１０２は、ＭＡＣ変換要求無のＩＰマルチキャスト送信開始要求を中継装置１０９から受信すると、ＭＡＣ変換の情報を含まないＩＰマルチキャスト中継情報を作成する。
【０１４５】
次に、ネットワーク装置１０２は、作成されたＩＰマルチキャスト中継情報に基づいて、送信装置１０１から受信したＩＰマルチキャストを中継装置１０９に送信する。中継装置１０９は、ネットワーク装置１０２から受信したＩＰマルチキャストを受信端末（個別制御無）１１０に送信する。
【０１４６】
次に、受信端末（個別制御無）１１０は、ＭＡＣ変換要求無のＩＰマルチキャスト送信終了要求を中継装置１０９に送信する。中継装置１０９は、ＭＡＣ変換要求無のＩＰマルチキャスト送信終了要求を受信端末（個別制御無）１１０から受信すると、ＭＡＣ変換要求無のＩＰマルチキャスト送信終了要求をネットワーク装置１０２に送信する。
【０１４７】
次に、ネットワーク装置１０２は、ＭＡＣ変換要求無のＩＰマルチキャスト送信終了要求を中継装置１０９から受信すると、ＩＰマルチキャスト終了確認を中継装置１０９に送信する。中継装置１０９は、ネットワーク装置１０２から受信したＩＰマルチキャスト終了確認を受信端末（個別制御無）１１０に送信する。
【０１４８】
次に、ネットワーク装置１０２は、受信端末（個別制御無）１１０から一定時間の間ＩＰマルチキャスト送信終了確認に対する応答がない場合、作成されたＭＡＣ変換要求無のＩＰマルチキャスト中継情報を削除する。
【０１４９】
＜実施形態３＞
本発明の第３の実施の形態は、ＰＯＮ（Ｐａｓｓｉｖｅ  Ｏｐｔｉｃａｌ  Ｎｅｔｗｏｒｋ）システムのＯＮＵに第１の実施の形態のネットワーク装置の機能を付加した装置の例である。
【０１５０】
第１の実施の形態と異なるのは、ネットワークが、ネットワーク装置、無線中継装置、及び有線中継装置の代わりにＰＯＮ装置（ＯＬＴ（センター側終端装置）：Ｏｐｔｉｃａｌ  Ｌｉｎｅ  Ｔｅｒｍｉｎａｌ）及びＰＯＮ装置（ＯＮＵ（宅内側終端装置）：Ｏｐｔｉｃａｌ  Ｎｅｔｗｏｒｋ  Ｕｎｉｔ）を備える点である。
【０１５１】
図２０は、本発明の第３の実施の形態のネットワークの構成図である。
【０１５２】
第３の実施の形態のネットワークは、送信装置１０１、ＯＬＴ１１１、ＯＮＵ１１２、ＯＮＵ１１３、光スプリッタ１１４、受信端末（個別制御有）１０８、及び受信端末（個別制御無）１１０を備える。個別制御の有無とは、前述した第２の実施の形態と同様に、例えば、個別の有線端末に対してＩＰマルチキャストの送信品質を制御する必要の有無、を意味する。
【０１５３】
送信装置１０１は、ＯＬＴ１１１にＩＰマルチキャストを送信する。
【０１５４】
ＯＬＴ１１１は、ＯＮＵ１１２からＩＰマルチキャスト送信開始要求及びＩＰマルチキャスト送信終了要求を受信する。また、ＯＬＴ１１１は、ＯＮＵ１１３からＩＰマルチキャスト送信開始要求及びＩＰマルチキャスト送信終了要求を受信する。さらに、ＯＬＴ１１１は、送信装置１０１から受信したＩＰマルチキャストを光スプリッタ１１４に送信する。光スプリッタ１１４は、ＯＬＴ１１１から受信したＩＰマルチキャストを、複数のＯＮＵ１１２及び１１３に分配する。
【０１５５】
ＯＮＵ１１２は、受信端末（個別制御有）１０８から受信したＩＰマルチキャスト送信開始要求及びＩＰマルチキャスト送信終了要求をＯＬＴ１１１に送信する。また、ＯＮＵ１１２は、ＯＬＴ１１１から受信したＩＰマルチキャストを、ＩＰマルチキャストの宛先ＭＡＣアドレスを受信端末（個別制御有）１０８のＭＡＣアドレスに変換し、宛先ＭＡＣアドレスが変換されたＩＰマルチキャストを受信端末（個別制御有）１０８に送信する。
【０１５６】
受信端末（個別制御有）１０８は、ＩＰマルチキャストの個別制御を必要とし、ＭＡＣ変換要求有のＩＰマルチキャスト送信開始要求及びＩＰマルチキャスト送信終了要求をＯＮＵ１１２に送信する。また、受信端末（個別制御有）１０８は、ＩＰマルチキャストをＯＮＵ１１２から受信する。
【０１５７】
ＯＮＵ１１３は、受信端末（個別制御無）１１０から受信したＩＰマルチキャスト送信開始要求及びＩＰマルチキャスト送信終了要求をＯＬＴ１１１に送信する。また、ＯＮＵ１１３は、ＯＬＴ１１１から受信したＩＰマルチキャストを、ＩＰマルチキャストの宛先ＭＡＣアドレスを変換せずに受信端末（個別制御無）１１０に送信する。
【０１５８】
受信端末（個別制御無）１１０は、ＩＰマルチキャストの個別制御を必要とせず、ＭＡＣ変換要求無のＩＰマルチキャスト送信開始要求及びＩＰマルチキャスト送信終了要求をＯＮＵ１１３に送信する。また、受信端末（個別制御無）１１０は、ＩＰマルチキャストをＯＮＵ１１３から受信する。
【０１５９】
図２１は、本発明の第３の実施の形態の各装置で送受信される、ＩＰマルチキャスト送受信開始要求及びＩＰマルチキャスト送信終了要求の各階層の状態を示す。
【０１６０】
受信端末（個別制御有）１０８は、ＩＰマルチキャスト送信開始要求及びＩＰマルチキャスト送信終了要求のＭＡＣ層の宛先アドレスにＯＮＵ１１２のユニキャストＭＡＣアドレスを設定してＯＮＵ１１２に送信する。
【０１６１】
受信端末（個別制御無）１１０は、ＩＰマルチキャスト送信開始要求及びＩＰマルチキャスト送信終了要求のＭＡＣ層の宛先アドレスにマルチキャストＭＡＣアドレスを設定してＯＮＵ１１３に送信する。
【０１６２】
ＯＮＵ１１２及びＯＮＵ１１３は、ＩＰマルチキャスト送信開始要求及びＩＰマルチキャスト送信終了要求のＭＡＣ層の宛先アドレスがユニキャストアドレスかマルチキャストアドレスかを判定する。ＩＰマルチキャスト送信開始要求及びＩＰマルチキャスト送信終了要求のＭＡＣ層の宛先アドレスが、ユニキャストアドレスの場合には、受信したＩＰマルチキャストのＭＡＣ層をユニキャストに変換し、マルチキャストアドレスの場合には、受信したＩＰマルチキャストのＭＡＣ層をマルチキャストのまま変換せずに、中継する。
【０１６３】
図２２は、本発明の第３の実施の形態における図２０の各装置で送受信されるＩＰマルチキャストの各階層での状態を示す。
【０１６４】
送信装置１０１は、物理層（有線）、ＭＡＣ層（マルチキャスト）及びＩＰ層（マルチキャスト）のＩＰマルチキャストをＯＬＴ１１１に送信する。
【０１６５】
ＯＬＴ１１１は、送信装置１０１から受信したＩＰマルチキャストのＭＡＣ層の部分をＰＯＮフレームのフォーマットで構成し、物理層（有線）、ＰＯＮ層、及びＩＰ層（マルチキャスト）のＩＰマルチキャストを光スプリッタ１１４で分配してＯＮＵ１１２及びＯＮＵ１１３に送信する。
【０１６６】
ＯＮＵ１１２は、ＯＬＴ１１１から受信したＩＰマルチキャストのＰＯＮ層を受信端末（個別制御有）１０８のユニキャストＭＡＣアドレス用いて再構成して、物理層（有線）、ＭＡＣ層（ユニキャスト）及びＩＰ層（マルチキャスト）のＩＰマルチキャストを受信端末（個別制御有）１０８に送信する。
【０１６７】
受信端末（個別制御有）１０８は、物理層（有線）、ＭＡＣ層（ユニキャスト）及びＩＰ層（マルチキャスト）のＩＰマルチキャストをＯＮＵ１１２から受信する。
【０１６８】
ＯＮＵ１１３は、ＯＬＴ１１１から受信したＩＰマルチキャストのＰＯＮ層をＩＰマルチキャストアドレスに対応するマルチキャストＭＡＣアドレスを用いて再構成して、物理層（有線）、ＭＡＣ層（マルチキャスト）及びＩＰ層（マルチキャスト）のＩＰマルチキャストを受信端末（個別制御無）１１０に送信する。
【０１６９】
受信端末（個別制御無）１１０は、物理層（有線）、ＭＡＣ層（マルチキャスト）及びＩＰ層（マルチキャスト）のＩＰマルチキャストをＯＮＵ１１３から受信する。
【０１７０】
図２３は、本発明の第３の実施の形態のＯＮＵの構成図である。
【０１７１】
ＯＮＵ１４０１は、制御部１４０２、インタフェース１４０３（１４０３Ａ、１４０３Ｂ）、電気／光変換部１４０４、及び光送受信部１４０５を備える。
【０１７２】
制御部１４０２及びインタフェース１４０３については第１の実施の形態のネットワーク装置と同じであるため説明を省略する。なお、制御用メモリ１４０６は制御用メモリ１１０４に対応し、マルチキャスト送信開始／終了要求処理プログラム１４０８はマルチキャスト送信開始／終了要求処理プログラム１１０６に対応し、経路制御処理プログラム１４０９は経路制御処理プログラム１１０７に対応し、ＭＡＣ変換情報テーブル１４１０はＭＡＣ変換情報テーブル１１０８に対応し、経路情報テーブル１４１１は経路情報テーブル１１０９に対応する。また、制御用プロセッサ１４０７は、制御用プロセッサ１１０５に対応し、インタフェース１４０３はインタフェース１１０３に対応する。
【０１７３】
電気／光変換部１４０４は、送受信されるデータの信号を電気から光に、又は、光から電気に変換する。
【０１７４】
光送受信部１４０５は、光によってデータの信号を送受信するインタフェースである。
【０１７５】
また図２４に示すように、図２３に示されるＯＮＵ１４０１に第１の実施の形態の無線中継装置の機能を付加してもよい。
【０１７６】
図２４は、本発明の第３の実施の形態のＯＮＵに無線中継装置の機能を付加したＯＮＵの構成図である。
【０１７７】
図２４に示されるＯＮＵ１５０１は、第３の実施の形態のＯＮＵ１４０１の構成に第１の実施の形態の無線中継装置１０３の構成を組み合わせた変形例である。なお、ＯＮＵ１５０１を図２０のＯＮＵ１１２及びＯＮＵ１１３の代わりに用いることによって、ネットワークを構成することができる。この場合、ＯＮＵ１５０１と受信端末１０８との間は無線回線で接続される。
【０１７８】
ＯＮＵ１５０１は、制御部１５０２、無線処理部１５０３、インタフェース１５０４、電気／光変換部１５０５、及び光送受信部１５０６を備える。
【０１７９】
制御部１５０２は、制御用メモリ１５０７及び制御用プロセッサ１５０８を備える。制御用メモリ１５０７は、マルチキャスト送信開始／終了要求処理プログラム１５０９、経路制御処理プログラム１５１０、有線／無線ＭＡＣ処理プログラム１５１１、ＭＡＣ変換情報テーブル１５１２、及び経路情報テーブル１５１３を格納する。
【０１８０】
無線処理部１５０３は、無線処理用プロセッサ１５１４及び無線部１５１５を備える。
【０１８１】
各構成の詳細は、図８及び図２３と同じであるため説明を省略する。なお、マルチキャスト送信開始／終了要求処理プログラム１５０９はマルチキャスト送信開始／終了要求処理プログラム１４０８に対応し、経路制御処理プログラム１５１０は経路制御処理プログラム１４０９に対応し、有線／無線ＭＡＣ処理プログラム１５１１は有線／無線ＭＡＣ処理プログラム１２０９に対応する。また、ＭＡＣ変換情報テーブル１５１２はＭＡＣ変換情報テーブル１４１０に対応し、経路情報テーブル１５１３は経路情報テーブル１４１１に対応する。また、制御用プロセッサ１５０８は制御用プロセッサ１４０７に対応し、インタフェース１５０４はインタフェース１４０３に対応し、電気／光変換部１５０５は電気／光変換部１４０４に対応し、光送受信部１５０６は光送受信部１４０５に対応する。
【０１８２】
このように、ＰＯＮシステムを備えるＯＮＵにネットワーク装置及び無線中継装置の機能を備えることが可能である。
【０１８３】
＜実施形態４＞
本発明の第４の実施の形態は、ネットワーク装置がＩＰマルチキャストの中継時に、第１の実施の形態とは異なる方法で、ＭＡＣ層をマルチキャストからユニキャストに変換するか否かを区別する例である。
【０１８４】
図２５は、本発明の第４の実施の形態のネットワーク装置の構成図である。
【０１８５】
第１の実施の形態と異なるのは、制御用メモリ１１０４が変換実施条件テーブル１１１０を含む点である。
【０１８６】
変換実施条件テーブル１１１０は、ネットワーク装置１０２が受信したＩＰマルチキャスト送信開始要求及びＩＰマルチキャスト送信終了要求が、ＭＡＣ層のユニキャスト変換を必要とするか否かを判断するために用いられる条件を保持する。
【０１８７】
図２６は、本発明の第４の実施の形態の変換実施条件テーブルである。
【０１８８】
図２６に示される変換実施条件テーブル１１１０は、ＭＡＣ層のユニキャスト変換を必要とするか否かを判断するための条件として、ＩＰマルチキャスト送信開始要求及びＩＰマルチキャスト送信終了要求の送信元ＩＰアドレスを用いる場合の例である。
【０１８９】
図２６の変換実施条件テーブル１１１０は、マルチキャスト送信開始要求及びＩＰマルチキャスト送信終了要求の送信元ＩＰアドレス２４０１を含む。
【０１９０】
変換実施条件テーブル１１１０にはユニキャストＩＰアドレスが登録される。また、ＩＰマルチキャスト送信開始要求及びＩＰマルチキャスト送信終了要求の送信元ＩＰアドレスが、登録されたユニキャストＩＰアドレスに一致する場合には、ＩＰマルチキャストを中継する時にＭＡＣ層をユニキャストに変換する、又は、変換しない、と条件を設定する。
【０１９１】
なお、変換実施条件テーブル１１１０は、ＩＰマルチキャスト送信開始要求又はＩＰマルチキャスト送信終了要求を受信したときに参照される。具体的には、図１３のステップ３２０４又はステップ３２０８で、受信したＩＰマルチキャスト送信開始要求又はＩＰマルチキャスト送信開始要求にＭＡＣ変換要求が付加されているか判定する場合に、変換実施条件テーブル１１１０が参照される。ＭＡＣ層をユニキャストに変換すると判定した場合は、ステップ３２０５又はステップ３２０９にそれぞれ進む。一方、ＭＡＣ層をユニキャストに変換しないと判定した場合は、ステップ３２０６又はステップ３２１０にそれぞれ進む。
【０１９２】
図２７は、本発明の第４の実施の形態の別の変換実施条件テーブルである。
【０１９３】
図２７に示される変換実施条件テーブル１１１０は、ＭＡＣ層のユニキャスト変換を必要とするか否かを判断するための条件として、ＩＰマルチキャスト送信開始要求及びＩＰマルチキャスト送信終了要求の送信元ＭＡＣアドレスを用いる場合の例である。
【０１９４】
図２７の変換実施条件テーブル１１１０は、マルチキャスト送信開始要求及びＩＰマルチキャスト送信終了要求の送信元ＭＡＣアドレス２５０１を含む。
【０１９５】
変換実施条件テーブルにはユニキャストＭＡＣアドレスが登録される。また、ＩＰマルチキャスト送信開始要求及びＩＰマルチキャスト送信終了要求の送信元ＭＡＣアドレスが、登録されたユニキャストＭＡＣアドレスに一致する場合には、ＩＰマルチキャストの中継時にＭＡＣ層をユニキャストに変換する、又は、変換しない、と条件を設定する。
【０１９６】
なお、図２６の変換実施条件テーブル１１１０と同様に、ＩＰマルチキャスト送信開始要求又はＩＰマルチキャスト送信終了要求を受信したときに図２７の変換実施条件テーブル１１１０が参照される。
【０１９７】
＜実施形態５＞
本発明の第５の実施の形態は、ネットワーク装置がＩＰマルチキャストグループアドレス及び送信装置のＩＰアドレスを用いてＩＰマルチキャストの配信を制御する場合に、経路情報テーブル及びＭＡＣ変換情報テーブルに送信装置の送信元ＩＰアドレスの情報を付加した例である。
【０１９８】
図２８は、本発明の第５の実施の形態の経路情報テーブルを示す。
【０１９９】
図２８に示される経路情報テーブルは、ＩＰマルチキャストグループアドレス２１０１、送信元ＩＰアドレス２１０４、入力インタフェース２１０２、及び出力インタフェース２１０３を含む。
【０２００】
第１の実施の形態と異なるのは、経路情報テーブルが送信元ＩＰアドレス２１０４を含む点である。
【０２０１】
送信元ＩＰアドレス２１０４は、ＩＰマルチキャストを配信する送信装置のＩＰアドレスである。
【０２０２】
図２９は、本発明の第５の実施の形態のＭＡＣ変換情報テーブルである。
【０２０３】
図２９に示されるＭＡＣ変換情報テーブルは、ＩＰマルチキャストグループアドレス２２０１、送信元ＩＰアドレス２２０４、出力インタフェース２２０２、及び宛先ＭＡＣアドレス２２０３を含む。
【０２０４】
第１の実施の形態と異なるのは、ＭＡＣ変換情報テーブルが送信元ＩＰアドレス２２０４を含む点である。
【０２０５】
例えば、カラム２２２１は、ＩＰマルチキャストの宛先ＭＡＣアドレスをユニキャストに変換する必要がない場合に設定される情報である。この場合、ＩＰマルチキャストグループアドレス２３９．２５５．１．１に対応するＭＡＣアドレス０１：００：５ｅ：７ｆ：０１：０１が宛先ＭＡＣアドレス２２０３に設定される。また、カラム２２２２〜２２２５は、ＩＰマルチキャストの宛先ＭＡＣアドレスをユニキャストに変換する必要がある場合に設定される情報である。この場合、ＩＰマルチキャストの送信を要求した受信端末のＭＡＣアドレスが宛先ＭＡＣアドレス２２０３に設定される。
【０２０６】
図３０は、本発明の第５の実施の形態の経路情報テーブルにＭＡＣ変換情報テーブルを付加した経路情報テーブルである。
【０２０７】
図３０に示される経路情報テーブルは、ＩＰマルチキャストグループアドレス２３０１、送信元ＩＰアドレス２３０５、入力インタフェース２３０２、出力インタフェース２３０３、宛先ＭＡＣアドレス２３０４を含む。
【０２０８】
各構成要素の詳細は、図２８及び図２９と同じであるため説明を省略する。なお、ＩＰマルチキャストグループアドレス２３０１はＩＰマルチキャストグループアドレス２１０１に対応し、送信元ＩＰアドレス２３０５は送信元ＩＰアドレス２１０４に対応する。また、入力インタフェース２３０２は入力インタフェース２１０２に対応し、出力インタフェース２３０３は出力インタフェース２１０３に対応する。また、宛先ＭＡＣアドレス２３０４は宛先ＭＡＣアドレス２２０３に対応する。
【図面の簡単な説明】
【０２０９】
【図１】本発明の第１の実施の形態のネットワークの構成図である。
【図２】本発明の第１の実施の形態における図１の各装置で送受信されるＩＰマルチキャスト送信開始要求及びＩＰマルチキャスト送信終了要求の各階層での状態を示す。
【図３】本発明の第１の実施の形態における図１の各装置で送受信されるＩＰマルチキャストの各階層での状態を示す。
【図４】本発明の第１の実施の形態のネットワーク装置の構成図である。
【図５】本発明の第１の実施の形態の経路情報テーブルを示す。
【図６】本発明の第１の実施の形態のＭＡＣ変換情報テーブルを示す。
【図７】本発明の第１の実施の形態の経路情報テーブルにＭＡＣ変換情報テーブルを付加した経路情報テーブルを示す。
【図８】本発明の第１の実施の形態の無線中継装置の構成図である。
【図９】本発明の第１の実施の形態のネットワーク装置に無線中継装置の機能を付加したネットワーク装置の構成図である。
【図１０】本発明の第１の実施の形態のＭＡＣ層の変換を必要とする無線端末からのＩＰマルチキャスト送信開始要求及びＩＰマルチキャスト送信終了要求の処理シーケンス図である。
【図１１】本発明の第１の実施の形態のＭＡＣ層の変換を必要としない有線端末からのＩＰマルチキャスト送信開始要求及びＩＰマルチキャスト送信終了要求の処理シーケンス図である。
【図１２】本発明の第１の実施の形態のネットワーク装置の経路制御処理のフローチャートを示す。
【図１３】本発明の第１の実施の形態のネットワーク装置のマルチキャスト送信開始／終了要求処理のフローチャートを示す。
【図１４】本発明の第１の実施の形態の無線中継装置のＭＡＣ変換要求付加処理のフローチャートを示す。
【図１５】本発明の第２の実施の形態のネットワークの構成図である。
【図１６】本発明の第２の実施の形態における図１５の各装置で送受信されるＩＰマルチキャスト送信開始要求及びＩＰマルチキャスト送信終了要求の各階層での状態を示す。
【図１７】本発明の第２の実施の形態における図１５の各装置で送受信されるＩＰマルチキャストの各階層での状態を示す。
【図１８】本発明の第２の実施の形態のＩＰマルチキャストの個別制御を必要とする受信端末からのＩＰマルチキャスト送信開始要求及びＩＰマルチキャスト送信終了要求の処理シーケンス図である。
【図１９】本発明の第２の実施の形態のＩＰマルチキャストの個別制御を必要としない受信端末からのＩＰマルチキャスト送信開始要求及びＩＰマルチキャスト送信終了要求の処理シーケンス図である。
【図２０】本発明の第３の実施の形態のネットワークの構成図である。
【図２１】本発明の第３の実施の形態における図２０の各装置で送受信されるＩＰマルチキャスト送信開始要求及びＩＰマルチキャスト送信終了要求の各階層での状態を示す。
【図２２】本発明の第３の実施の形態における図２０の各装置で送受信されるＩＰマルチキャストの各階層での状態を示す。
【図２３】本発明の第３の実施の形態のＯＮＵの構成図である。
【図２４】本発明の第３の実施の形態のＯＮＵに無線中継装置の機能を付加したＯＮＵの構成図である。
【図２５】本発明の第４の実施の形態のネットワーク装置の構成図である。
【図２６】本発明の第４の実施の形態の変換実施条件テーブルを示す。
【図２７】本発明の第４の実施の形態の変換実施条件テーブルを示す。
【図２８】本発明の第５の実施の形態の経路情報テーブルを示す。
【図２９】本発明の第５の実施の形態のＭＡＣ変換情報テーブルを示す。
【図３０】本発明の第５の実施の形態の経路情報テーブルにＭＡＣ変換情報テーブルを付加した経路情報テーブルを示す。
【符号の説明】
【０２１０】
１０１  送信装置
１０２  ネットワーク装置
１０３  無線中継装置
１０４  無線端末
１０５  有線中継装置
１０６  有線端末
１０７  中継装置
１０８  受信ＩＰマルチキャストの個別制御を必要とする受信端末
１０９  中継装置
１１０  受信ＩＰマルチキャストの個別制御を必要としない受信端末
１１１  ＰＯＮ装置（ＯＬＴ）
１１２、１１３  ＰＯＮ装置（ＯＮＵ）
１１４  光スプリッタ
１１０１  ネットワーク装置
１１０２  制御部
１１０３Ａ、１１０３Ｂ、１１０３Ｃ  インタフェース
１１０４  制御用メモリ
１１０５  制御用プロセッサ
１１０６  マルチキャスト送信開始／終了要求処理プログラム
１１０７  経路制御処理プログラム
１１０８  ＭＡＣ変換情報テーブル
１１０９  経路情報テーブル
１１１０  変換実施条件テーブル
１２０１  無線中継装置
１２０２  制御部
１２０３  無線処理部
１２０４  インタフェース
１２０５  制御用メモリ
１２０６  制御用プロセッサ
１２０７  ＭＡＣ変換要求付加処理プログラム
１２０８  マルチキャスト送信開始／終了要求処理プログラム
１２０９  有線／無線ＭＡＣ処理プログラム
１２１０  無線処理用プロセッサ
１２１１  無線部
１３０１  無線中継装置とネットワーク装置の機能を併せ持つ装置
１３０２  制御部
１３０３  無線処理部
１３０４Ａ、１３０４Ｂ  インタフェース
１３０５  制御用メモリ
１３０６  制御用プロセッサ
１３０７  マルチキャスト送信開始／終了要求処理プログラム
１３０８  経路制御処理プログラム
１３０９  有線／無線ＭＡＣ処理プログラム
１３１０  ＭＡＣ変換情報テーブル
１３１１  経路情報テーブル
１３１２  無線処理用プロセッサ
１３１３  無線部
１４０１  ＰＯＮシステムのＯＮＵにネットワーク装置の機能を付加した装置
１４０２  制御部
１４０３Ａ、１４０３Ｂインタフェース
１４０４  電気／光変換部
１４０５  光送受信部
１４０６  制御用メモリ
１４０７  制御用プロセッサ
１４０８  マルチキャスト送信開始／終了要求処理プログラム
１４０９  経路制御処理プログラム
１４１０  ＭＡＣ変換情報テーブル
１４１１  経路情報テーブル
１５０１  ＰＯＮシステムのＯＮＵに無線中継装置とネットワーク装置の機能を付加した装置
１５０２  制御部
１５０３  無線処理部
１５０４  インタフェース
１５０５  電気／光変換部
１５０６  光送受信部
１５０７  制御用メモリ
１５０８  制御用プロセッサ
１５０９  マルチキャスト送信開始／終了要求処理プログラム
１５１０  経路制御処理プログラム
１５１１  有線／無線ＭＡＣ処理プログラム
１５１２  ＭＡＣ変換情報テーブル
１５１３  経路情報テーブル
１５１４  無線処理用プロセッサ
１５１５  無線部
【図１】
0004415036.tif 000002
【図２】
0004415036.tif 000003
【図３】
0004415036.tif 000004
【図４】
0004415036.tif 000005
【図５】
0004415036.tif 000006
【図６】
0004415036.tif 000007
【図７】
0004415036.tif 000008
【図８】
0004415036.tif 000009
【図９】
0004415036.tif 000010
【図１０】
0004415036.tif 000011
【図１１】
0004415036.tif 000012
【図１２】
0004415036.tif 000013
【図１３】
0004415036.tif 000014
【図１４】
0004415036.tif 000015
【図１５】
0004415036.tif 000016
【図１６】
0004415036.tif 000017
【図１７】
0004415036.tif 000018
【図１８】
0004415036.tif 000019
【図１９】
0004415036.tif 000020
【図２０】
0004415036.tif 000021
【図２１】
0004415036.tif 000022
【図２２】
0004415036.tif 000023
【図２３】
0004415036.tif 000024
【図２４】
0004415036.tif 000025
【図２５】
0004415036.tif 000026
【図２６】
0004415036.tif 000027
【図２７】
0004415036.tif 000028
【図２８】
0004415036.tif 000029
【図２９】
0004415036.tif 000030
【図３０】
0004415036.tif 000031